(57)【要約】【課題】映像信号と一定輝度の信号とを含む画像信号に対して中間階調処理を行っても、その画像信号中の２種類の信号をそれぞれ正確に表示することを可能とする。【解決手段】画像サンプリング部４と判定部６−ｉとを具備する画像信号処理回路を用いる。画像サンプリング部４は、１フレームがＰ×Ｑ（ＰおよびＱは自然数）の画素の画像信号から、Ｍ×Ｎ（ＭおよびＮは、２≦Ｍ＜Ｐ、２≦Ｎ＜Ｑの自然数）のサンプリング画素のサンプリング画像信号をサンプリングする。判定部６−ｉは、そのサンプリング画像信号に基づいて、複数の画像処理部２−ｉのうちからそのサンプリング画像信号を画像処理する選択画像処理部２−ｓを選択する。【選択図】      図１
2005148323.tif 000002
【特許請求の範囲】
【請求項１】
１フレームがＰ×Ｑ（ＰおよびＱは自然数）の画素の画像信号から、Ｍ×Ｎ（ＭおよびＮは、２≦Ｍ＜Ｐ、２≦Ｎ＜Ｑの自然数）のサンプリング画素のサンプリング画像信号をサンプリングする画像サンプリング部と、
前記サンプリング画像信号に基づいて、複数の画像処理部のうちから前記サンプリング画像信号を画像処理する選択画像処理部を選択する判定部と
を具備する
画像信号処理回路。
【請求項２】
請求項１に記載の画像信号処理回路において、
前記判定部は、前記サンプリング画像信号から、互いに異なるｍ×ｎ（ｍおよびｎは、ｍ≦Ｍ、ｎ≦Ｎの自然数）の比較サンプリング画素の複数の比較サンプリング画像信号をサンプリングし、前記複数の比較サンプリング画像信号の階調値を互いに比較する比較部と、
前記比較結果に基づいて、前記選択画像処理部を選択する選択部と
を備える
画像信号処理回路。
【請求項３】
請求項２に記載の画像信号処理回路において、
前記比較部は、前記複数の比較サンプリング画像信号における階調値の最大値と最小値との差と、所定の基準値とを比較し、
前記選択部は、前記差が前記基準値未満の場合、前記選択画像処理部として擬似中間調処理を行う擬似中間調処理部を選択しない
画像信号処理回路。
【請求項４】
請求項１に記載の画像信号処理回路において、
前記判定部は、前記サンプリング画素信号における階調値を互いに比較する比較部と、
前記比較結果に基づいて、前記選択画像処理部を選択する選択部と
を備える
画像信号処理回路。
【請求項５】
請求項４に記載の画像信号処理回路において、
前記比較部は、前記階調値の最大値と最小値との差と、所定の基準値とを比較し、
前記選択部は、前記差が前記基準値未満の場合、前記選択画像処理部として擬似中間調処理を行う擬似中間調処理部を選択しない
画像信号処理回路。
【請求項６】
請求項１に記載の画像信号処理回路において、
前記判定部は、前記サンプリング画素信号における階調値と入力された基準値とを比較する比較部と、
前記比較結果に基づいて、前記選択画像処理部を選択する選択部と
を備える
画像信号処理回路。
【請求項７】
請求項６に記載の画像信号処理回路において、
前記比較部は、前記階調値と、前記基準値との差を算出し、
前記選択部は、前記差が前記基準値未満の場合、前記選択画像処理部として擬似中間調処理を行う擬似中間調処理部を選択しない
画像信号処理回路。
【請求項８】
請求項３、５及び７のいずれか一項に記載の画像信号処理回路において、
前記擬似中間調処理部は、誤差拡散処理を行う誤差拡散処理部およびディザ処理を行うディザ処理部の少なくとも一方を含む
画像信号処理回路。
【請求項９】
１フレームがＰ×Ｑ（ＰおよびＱは自然数）画素の画像信号に基づいて、画像処理された画像信号を出力する請求項１乃至８のいずれか一項に記載の画像信号処理回路と、
前記画像処理された画像信号を示す画像を表示する表示部と
を具備する
表示装置。
【請求項１０】
（ａ）１フレームがＰ×Ｑ（ＰおよびＱは自然数）画素の画像信号から、Ｍ×Ｎ（ＭおよびＮは、２≦Ｍ＜Ｐ、２≦Ｎ＜Ｑの自然数）のサンプリング画素のサンプリング画像信号をサンプリングするステップと、
（ｂ）前記サンプリング画像信号に基づいて、複数の画像処理方法のうちから前記サンプリング画像信号を画像処理する選択画像処理方法を選択するステップと
を具備する
画像信号処理方法。
【請求項１１】
請求項１０に記載の画像信号処理方法において、
前記（ｂ）ステップは、
（ｂ１）前記サンプリング画像信号のうちから、互いに異なるｍ×ｎ（ｍおよびｎは、ｍ≦Ｍ、ｎ≦Ｎの自然数）の比較サンプリング画素の複数の比較サンプリング画像信号をサンプリングし、前記複数の比較サンプリング画像信号の階調値を互いに比較するステップと、
（ｂ２）前記比較結果に基づいて、前記選択画像処理方法を選択するステップと
を備える
画像信号処理方法。
【請求項１２】
請求項１１に記載の画像信号処理方法において、
前記（ｂ１）ステップは、
（ｂ１１）前記複数の比較サンプリング画像信号における階調値の最大値と最小値との差と、所定の基準値とを比較するステップを含み、
前記（ｂ２）ステップは、
（ｂ２１）前記差が前記基準値以上の場合、前記選択画像処理方法として擬似中間調処理を行う擬似中間調処理法を選択するステップを含む
画像信号処理方法。
【請求項１３】
請求項１０に記載の画像信号処理方法において、
前記（ｂ）ステップは、
（ｂ３）前記サンプリング画像信号における階調値を互いに比較するステップと、
（ｂ４）前記比較結果に基づいて、前記選択画像処理方法を選択するステップと
を備える
画像信号処理方法。
【請求項１４】
請求項１３に記載の画像信号処理方法において、
前記（ｂ３）ステップは、
（ｂ３１）前記階調値の最大値と最小値との差と、所定の基準値とを比較するステップを含み、
前記（ｂ４）ステップは、
（ｂ４１）前記差が前記基準値以上の場合、前記選択画像処理方法として擬似中間調処理を行う擬似中間調処理法を選択するステップを含む
画像信号処理方法。
【請求項１５】
請求項１０に記載の画像信号処理方法において、
前記（ｂ）ステップは、
（ｂ５）前記サンプリング画像信号における階調値と入力された基準値とを比較するステップと、
（ｂ６）前記比較結果に基づいて、前記選択画像処理方法を選択するステップと
を備える
画像信号処理方法。
【請求項１６】
請求項１５に記載の画像信号処理方法において、
前記（ｂ５）ステップは、
（ｂ５１）前記階調値と前記基準値との差を算出するステップを含み、
前記（ｂ６）ステップは、
（ｂ６１）前記差が前記基準値以上の場合、前記選択画像処理方法として擬似中間調処理を行う擬似中間調処理法を選択するステップを含む
画像信号処理方法。
【請求項１７】
請求項１２、１４及び１６のいずれか一項に記載の画像信号処理方法において、
前記擬似中間調処理法は、誤差拡散処理を行う誤差拡散処理法およびディザ処理を行うディザ処理法の少なくとも一方を含む
画像信号処理方法。
【請求項１８】
（ｃ）１フレームがＰ×Ｑ（ＰおよびＱは自然数）画素の画像信号に基づいて、画像処理された画像信号を出力する請求項１０乃至１７のいずれか一項に記載の画像信号処理方法を実行するステップと、
（ｄ）前記画像処理された画像信号を示す画像を表示するステップと
を具備する
表示方法。
【発明の詳細な説明】
【技術分野】
【０００１】
本発明は、画像信号処理回路、表示装置、画像信号処理方法及び表示方法に関し、特に、入力信号に基づいて複数の画像処理を選択する画像信号処理回路、表示装置、画像信号処理方法及び表示方法に関する。
【背景技術】
【０００２】
プラズマディスプレイ（以下、「ＰＤＰ」とも記す）は、フラットディスプレイパネルの一つとして近年注目されている。ＰＤＰでは、サブフレーム（以下、「ＳＦ」とも記す）を用いた時分割発光表示方法が知られている。ただしＰＤＰでは、ディスプレイ自体の階調再現性能だけでは十分な画質を得られない場合があるため、ディザ法や誤差拡散法などを用いた擬似多階調化の手法が用いられてきた。
【０００３】
ＰＤＰは、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式、ＥＤＴＶ（Ｅｘｔｅｎｄ  Ｄｅｆｉｎｉｔｉｏｎ  ＴＶ）方式、ＰＡＬ（Ｐｈａｓｅ  Ａｌｔｅｒｎａｔｉｏｎ  ｂｙ  Ｌｉｎｅ）方式等のさまざまなテレビ信号方式に対応することができる。例として、図２に示すような画像信号が、ＰＤＰに入力される場合を考える。図２は、画面左右端又は画面上下端に表示される一定の輝度を持った信号１４６と、映像信号１４４とを含む画像信号１４２の表示状態を示す。このような画像信号１４２は、例えば、アスペクト比４：３の映像信号をアスペクト比１６：９の映像信号に変換した場合や、逆にアスペクト比１６：９の映像信号をアスペクト比４：３の映像信号に変換する際に発生する。ここで、映像信号は、自然画やＴＶ信号、映画のような画像信号に例示される。一定の輝度を持った信号は、黒、灰色のような一定の輝度を持つ画像信号に例示される。
【０００４】
ＰＤＰにおける従来型の画像処理回路は、入力される映像信号に対して、逆ガンマ変換処理、誤差拡散処理、ディザ処理等の各信号処理を行う回路が直列に並んでいる。ここでは、例として、直列的にＰ種類（Ｐは自然数）の画像処理部を含む画像処理回路１１０について説明する。図１は、このような従来の画像処理回路を示すブロック図である。Ｐ種類の画像処理を行う画像処理部１０２−ｑ（ｑは自然数）のいずれかに誤差拡散処理回路、ディザ処理回路等の処理を含む。そして、画像処理された画像信号は、ＰＤＰモジュール１３０で表示される。
【０００５】
図１に示すような従来型の画像処理回路１１０に、図２にしめすような表示装置の解像度よりも小さな解像度を持つ映像信号１４４と、表示装置の表示に際して前述の映像信号１４４以外の表示部分に一定輝度の信号１４６が混在して入力される。そして、Ｐ種類の画像処理部１０２−ｑのいずれかにおいて、誤差拡散処理のような、原画と画像処理結果との信号誤差を最小にするような処理を行う。その場合、自然画やＴＶ信号、映画のような画像信号部分には有効に画像処理がなされるが、一定輝度の信号に対しては、ＰＤＰモジュール１３０で表示されるとき、誤差拡散処理による特有のパターンを生じることがある。
また、Ｐ種類の画像処理部１０２−ｑのいずれかにおいてディザ処理のような、原画に対して雑音を印加するような処理においては、ＰＤＰモジュール１３０で表示されるとき、自然画やＴＶ信号、映画のような画像信号部分と一定輝度の信号領域の境界点が不明確になってしまう。
【０００６】
入力信号が表示解像度よりも小さな解像度を持つ映像信号と、表示装置の表示に際して前記の映像信号以外の表示部分に対して入力される一定輝度の信号とを含む画像信号に中間階調処理を行っても、画像信号中の２種類の信号のそれぞれを正確に表示することが可能な画像処理回路が望まれる。
上記２種類の信号の境界を明確にして表示することが可能な画像処理回路が望まれる。
上記２種類の信号に対応して適切に画像処理を行うことが可能な画像処理回路が求められる。
上記画像信号の画質を改善できる画像処理回路が求められる。
【０００７】
関連する技術として、特開平９−１８５３４０号公報に、ディスプレイ装置の技術が開示されている。この技術は、複数種類の画像信号に基づいて、複数種類の画像を表示パネルの同一画面上に分割して表示するようにしたディスプレイ装置である。その複数種類の画像信号は、濃淡画像に対応した映像信号と、一様な単色の背景色に対応した背景色信号とからなる。ディスプレイ装置は、誤差拡散回路と、切替信号発生回路と、選択回路とを具備する。誤差拡散回路は、その映像信号の誤差拡散処理を行う。切替信号発生回路は、その表示パネルでの画像表示位置に対応した切替信号を出力する。選択回路は、この切替信号発生回路から出力する切替信号に基づいて、その誤差拡散回路の出力信号とその背景色信号とを選択的に切り替えてその表示パネルへ出力する。
【特許文献１】特開平９−１８５３４０号公報
【発明の開示】
【発明が解決しようとする課題】
【０００８】
従って、本発明の目的は、入力信号が表示解像度よりも小さな解像度を持つ映像信号と、表示装置の表示に際して前記の映像信号以外の表示部分に対して入力される一定輝度の信号とを含む画像信号に対して中間階調処理を行っても、その画像信号中の２種類の信号をそれぞれ正確に表示することが可能な画像信号処理回路、表示装置、画像信号処理方法及び表示方法を提供することにある。
【０００９】
本発明の他の目的は、上記２種類の信号の境界を明確にして表示することが可能な画像信号処理回路、表示装置、画像信号処理方法及び表示方法を提供することにある。
【００１０】
本発明の更に他の目的は、上記２種類の信号に対応して適切に画像処理を行うことが可能な画像信号処理回路、表示装置、画像信号処理方法及び表示方法を提供することにある。
【００１１】
本発明の別の目的は、上記画像信号の画質を改善できる画像信号処理回路、表示装置、画像信号処理方法及び表示方法を提供することにある。
【課題を解決するための手段】
【００１２】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１３】
従って、上記課題を解決するために、本発明の画像信号処理回路は、画像サンプリング部（４）と、判定部（６−ｉ）とを具備する。画像サンプリング部（４）は、１フレームがＰ×Ｑ（ＰおよびＱは自然数）の画素の画像信号から、Ｍ×Ｎ（ＭおよびＮは、２≦Ｍ＜Ｐ、２≦Ｎ＜Ｑの自然数）のサンプリング画素のサンプリング画像信号をサンプリングする。判定部（６）は、そのサンプリング画像信号に基づいて、複数の画像処理部（２−ｉ）のうちからそのサンプリング画像信号を画像処理する選択画像処理部（２−ｓ）を選択する。
ここで、１フレームがＰ×Ｑ（ＰおよびＱは自然数）の画素の画像信号は、入力信号が表示解像度よりも小さな解像度を持つ映像信号と、表示装置の表示に際してその映像信号以外の表示部分に対して入力される一定輝度の信号との２種類を含む画像信号である。
サンプリング画像信号として一画素分ではなく複数画素分の信号を用いるので、サンプリング画像信号が映像信号か一定輝度の信号かの判断を正確に行うことが可能となる。それにより、サンプリング画像信号を画像処理する画像処理部（２−ｉ）を適切に選択できる。
【００１４】
上記の画像信号処理回路において、判定部（６−ｉ）は、比較部（７−ｉ）と、選択部（９−ｉ）とを備える。比較部（７−ｉ）は、そのサンプリング画像信号から、互いに異なるｍ×ｎ（ｍおよびｎは、ｍ≦Ｍ、ｎ≦Ｎの自然数）の比較サンプリング画素の複数の比較サンプリング画像信号をサンプリングし、その複数の比較サンプリング画像信号の階調値を互いに比較する。選択部（９−ｉ）は、その比較結果に基づいて、選択画像処理部（２−ｓ）を選択する。
サンプリング画像信号の中の複数の比較サンプリング画像信号の階調値を用いているので、サンプリング画像信号が映像信号か一定輝度の信号かの判断をより正確に行うことが可能となる。
【００１５】
上記の画像信号処理回路において、比較部（７−ｉ）は、その複数の比較サンプリング画像信号における階調値の最大値と最小値との差と、所定の基準値とを比較する。選択部（９−ｉ）は、その差がその基準値未満の場合、選択画像処理部（２−ｓ）として擬似中間調処理を行う擬似中間調処理部を選択しない。
階調値の最大値と最小値との相違を用いているので、サンプリング画像信号が映像信号か一定輝度の信号かの判断をより正確に行うことが可能となる。そして、映像信号の場合（差がその基準値以上の場合）擬似中間調処理を行い、一定輝度の信号の場合（差がその基準値未満の場合）に擬似中間調処理を行わないことにより、表示画像の画質を改善できる。
【００１６】
上記の画像信号処理回路において、判定部（６−ｉ）は、比較部（７−ｉ）と、選択部（９−ｉ）とを備える。比較部（７−ｉ）は、そのサンプリング画素信号における階調値を互いに比較する。選択部（９−ｉ）は、その比較結果に基づいて、選択画像処理部（２−ｓ）を選択する。
サンプリング画像信号の中の各画素の階調値を用いているので、サンプリング画像信号が映像信号か一定輝度の信号かの判断をより正確に行うことが可能となる。
【００１７】
上記の画像信号処理回路において、比較部（７−ｉ）は、そのサンプリング画素信号における階調値の最大値と最小値との差と、所定の基準値とを比較する。選択部（９−ｉ）は、その差がその基準値未満の場合、選択画像処理部（２−ｓ）として擬似中間調処理を行う擬似中間調処理部を選択しない。
階調値の最大値と最小値との相違を用いているので、サンプリング画像信号が映像信号か一定輝度の信号かの判断をより正確に行うことが可能となる。そして、映像信号の場合（差がその基準値以上の場合）擬似中間調処理を行い、一定輝度の信号の場合（差がその基準値未満の場合）に擬似中間調処理を行わないことにより、表示画像の画質を改善できる。
【００１８】
上記の画像信号処理回路において、判定部（６ｅ−ｊ）は、比較部（７ｅ−ｊ）と、選択部（９ｅ−ｊ）とを備える。比較部（７ｅ−ｊ）は、そのサンプリング画素信号における階調値と入力された基準値とを比較する。選択部（９ｅ−ｊ）は、その比較結果に基づいて、選択画像処理部（２ｅ−ｓ）を選択する。
入力された基準値は、中間階調処理を行わない輝度を示す。入力された基準値を用いるので、サンプリング画像信号が映像信号か一定輝度の信号かの判断をより正確に行うことが可能となる。
【００１９】
上記の画像信号処理回路において、比較部（７ｅ−ｊ）は、その階調値と、その基準値との差を算出する。選択部（９ｅ−ｊ）は、その差がその基準値未満の場合、選択画像処理部（２ｅ−ｓ）として擬似中間調処理を行う擬似中間調処理部を選択しない。
階調値と中間階調処理を行わない輝度を示す基準値との相違を用いているので、サンプリング画像信号が映像信号か一定輝度の信号かの判断をより正確に行うことが可能となる。そして、映像信号の場合（差がその基準値以上の場合）擬似中間調処理を行い、一定輝度の信号の場合（差がその基準値未満の場合）に擬似中間調処理を行わないことにより、表示画像の画質を改善できる。
【００２０】
上記の画像信号処理回路において、その擬似中間調処理部は、誤差拡散処理を行う誤差拡散処理部およびディザ処理を行うディザ処理部の少なくとも一方を含む。
擬似中間調処理は、誤差拡散処理およびディザ処理の少なくとも一方を含むことが画質向上に好ましい。
【００２１】
上記課題を解決するために本発明の表示装置は、画像信号処理回路（１０）と、表示部（５０）とを具備する。画像信号処理回路（１０）は、１フレームがＰ×Ｑ（ＰおよびＱは自然数）画素の画像信号に基づいて、画像処理された画像信号を出力する上記のいずれか一項に記載されている。表示部（５０）は、その画像処理された画像信号を示す画像を表示する。
このような表示装置は、映像信号と一定輝度の信号との境界における画像処理を明確に行い、画質を改善することができる。
【００２２】
上記課題を解決するために本発明の画像信号処理方法は、（ａ）ステップと、（ｂ）ステップとを具備する。（ａ）ステップでは、１フレームがＰ×Ｑ（ＰおよびＱは自然数）画素の画像信号から、Ｍ×Ｎ（ＭおよびＮは、２≦Ｍ＜Ｐ、２≦Ｎ＜Ｑの自然数）のサンプリング画素のサンプリング画像信号をサンプリングする。（ｂ）ステップでは、そのサンプリング画像信号に基づいて、複数の画像処理方法のうちからそのサンプリング画像信号を画像処理する選択画像処理方法を選択する。
【００２３】
上記の画像信号処理方法において、
その（ｂ）ステップは、（ｂ１）ステップと、（ｂ２）ステップとを備える。（ｂ１）ステップでは、そのサンプリング画像信号のうちから、互いに異なるｍ×ｎ（ｍおよびｎは、ｍ≦Ｍ、ｎ≦Ｎの自然数）の比較サンプリング画素の複数の比較サンプリング画像信号をサンプリングし、その複数の比較サンプリング画像信号の階調値を互いに比較する。（ｂ２）ステップでは、その比較結果に基づいて、その選択画像処理方法を選択する。
【００２４】
上記の画像信号処理方法において、その（ｂ１）ステップは、（ｂ１１）その複数の比較サンプリング画像信号における階調値の最大値と最小値との差と、所定の基準値とを比較するステップを含む。その（ｂ２）ステップは、（ｂ２１）その差がその基準値以上の場合、その選択画像処理方法として擬似中間調処理を行う擬似中間調処理法を選択するステップを含む。
【００２５】
上記の画像信号処理方法において、その（ｂ）ステップは、（ｂ３）ステップと、（ｂ４）ステップとを備える。（ｂ３）ステップでは、そのサンプリング画像信号における階調値を互いに比較する。（ｂ４）ステップでは、その比較結果に基づいて、その選択画像処理方法を選択する。
【００２６】
上記の画像信号処理方法において、（ｂ３）ステップは、（ｂ３１）そのサンプリング画像信号における階調値の最大値と最小値との差と、所定の基準値とを比較するステップを含む。（ｂ４）ステップは、（ｂ４１）その差がその基準値以上の場合、その選択画像処理方法として擬似中間調処理を行う擬似中間調処理法を選択するステップを含む。
【００２７】
上記の画像信号処理方法において、（ｂ）ステップは、（ｂ５）ステップと、（ｂ６）ステップとを備える。（ｂ５）ステップでは、そのサンプリング画像信号における階調値と入力された基準値とを比較する。（ｂ６）ステップでは、その比較結果に基づいて、その選択画像処理方法を選択する。
【００２８】
上記の画像信号処理方法において、（ｂ５）ステップは、（ｂ５１）その階調値とその基準値との差を算出するステップを含む。（ｂ６）ステップは、（ｂ６１）その差がその基準値以上の場合、その選択画像処理方法として擬似中間調処理を行う擬似中間調処理法を選択するステップを含む。
【００２９】
上記の画像信号処理方法において、その擬似中間調処理法は、誤差拡散処理を行う誤差拡散処理法およびディザ処理を行うディザ処理法の少なくとも一方を含む。
【００３０】
上記課題を解決するために本発明の表示方法は、（ｃ）ステップと、（ｄ）ステップとを具備する。（ｃ）ステップでは、１フレームがＰ×Ｑ（ＰおよびＱは自然数）画素の画像信号に基づいて、画像処理された画像信号を出力する請求項８乃至１３のいずれか一項に記載の画像信号処理方法を実行する。（ｄ）ステップでは、その画像処理された画像信号を示す画像を表示する。
【発明の効果】
【００３１】
本願発明によれば、Ｍ×Ｎ画素の画像データのサンプリングを行い、サンプリングされた画像データに含まれる階調値を比較することによって画像処理部の制御を行うことにより、入力信号が表示解像度よりも小さな解像度を持つ映像信号と、表示装置の表示に際して前記の映像信号以外の表示部分に対して入力される一定輝度の信号との２種類からなる信号を表示する際、誤差拡散処理およびディザ処理等の中間階調処理を行った際に、２種の画像信号の境界における画像処理を明確に行い、画質を改善することができる。また、中間階調処理を行わない輝度信号を外部より規定することで、自然画やＴＶ信号、映画のような画像信号部分と一定輝度の信号領域の境界点を明確に規定することが出来る。
なお、本発明が下記実施の形態に限定されず、本発明の技術思想の範囲内において、適宜変更され得ることは明らかである。
【発明を実施するための最良の形態】
【００３２】
以下、本発明の画像信号処理回路、表示装置、画像信号処理方法及び表示方法の実施の形態に関して、添付図面を参照して説明する。本実施の形態において、プラズマディスプレイパネル（ＰＤＰ）を例に示して説明するが、他の複数の画像処理回路を用いる画像処理装置についても適用可能である。
【００３３】
（第１の実施の形態）
まず、本発明の画像信号処理回路及び表示装置の第１の実施の形態の構成について説明する。
図３Ａは、本発明の画像信号処理回路の第１の実施の形態の構成を示すブロック図である。画像処理回路１０は、画像処理制御部８と、複数の画像処理部２−ｉ（ｉ＝１〜Ｒ、Ｒは自然数で画像処理部の数に対応、以下同じ）とを具備する。
【００３４】
画像処理制御部８は、１フレームがＰ×Ｑ画素（ＰおよびＱは自然数）である画像データ（画像信号）の入力に基づいて、Ｍ×Ｎ画素（ＭおよびＮは２≦Ｍ＜Ｐ、２≦Ｎ＜Ｑの自然数、以下「サンプリング画素」という）ごとに、その画像データをサンプリングする。そして、サンプリング画素の画像データであるサンプリング画像データ（サンプリング画像信号）を、画像処理部２−１に出力する。各画素の画像データは、Ｒ（赤）、Ｇ（緑）、Ｂ（青）の各データを含んでいる。
【００３５】
ここで、Ｍ及びＮは、図２の一定輝度の信号１４６を見出すことが可能な大きさが選択される。その大きさは、１フレームにつき、サンプリング画素の全てが一定の輝度の信号１４６となることができる大きさである。更に、サンプリング画素において、その一部が一定の輝度の信号１４６で残りが映像信号１４４の場合、擬似多階調化処理を行っても、表示装置におけるそのサンプリング画素の画像が劣化しない大きさに限定される。そのような大きさとしては、Ｍ及びＮは、１０以下が好ましく、より好ましくは５以下である。一方、サンプリング画素が一つの場合、サンプリング画素が一定の輝度の信号１４６の部分か否かを判断できない。そのため、複数の画素においてサンプリングすることが好ましい。そのような大きさとしては、Ｍ及びＮは、２以上が好ましく、より好ましくは３以上である。
【００３６】
更に、画像処理制御部８は、サンプリング画像データに含まれる各画素の階調値を比較することにより、複数の画像処理部２−ｉ（ｉ＝１〜Ｒ）のうちからそのサンプリング画像データを画像処理する画像処理部を選択する。そして、選択される画像処理部へ選択信号を出力する。選択される画像処理部は、０個以上、Ｒ個以下である。選択される画像処理部が０の場合、選択信号は出力しない。ここでの比較は、各画像データに含まれるＲ（赤）、Ｇ（緑）、Ｂ（青）の各データごとに行われる。
【００３７】
複数の画像処理部２−ｉ（ｉ＝１〜Ｒ）は、互いに直列に接続されている。一方の端の画像処理部２−１は、画像処理制御部８に接続され、サンプリング画像データを入力される。各画像処理部２−ｉは、画像処理制御部８から選択信号を入力された場合、入力されたサンプリング画像データに対して、所定の画像処理を実行する。所定の画像処理は、各画像データに含まれるＲ（赤）、Ｇ（緑）、Ｂ（青）の各データごとに行われる。そして、その後サンプリング画像データを次の画像処理部へ出力する。選択信号を入力されない場合、入力されたサンプリング画像データに対して、画像処理を行わない。そして、サンプリング画像データを次の画像処理部へ出力する。他方の端の画像処理部２−Ｐは、サンプリング画像データをＰＤＰモジュール（後述）へ出力する。
画像処理部２−ｉは、中間調処理を行う回路、例えば、誤差拡散処理回路、ディザ処理回路などに例示される。
【００３８】
画像処理制御部８は、画像データサンプリング部４と、複数の判定部６−ｉ（ｉ＝１〜Ｒ、Ｒは自然数で画像処理部の数に対応、以下同じ）とを備える。
画像データサンプリング部４は、Ｍ×Ｎ画素ごとに、その画像データをサンプリングして、サンプリング画像データとして複数の判定部６−ｉ（ｉ＝１〜Ｒ）の全てへ出力する。
複数の判定部６−ｉ（ｉ＝１〜Ｒ）は、その各々が、複数の画像処理部２−ｉ（ｉ＝１〜Ｒ）のうちの一つと対応している。すなわち、判定部６−ｉは、画像処理部２−ｉへ対応している。そして、それぞれの判定部６−ｉは、サンプリング画像データに含まれる各画素の階調値と所定の第１条件とを比較する。その結果、所定の条件が満足される場合、対応する画像処理部２−ｉへ選択信号を出力する（画像処理部２−ｉを選択する）。ただし、この比較は、各画像データに含まれるＲ（赤）、Ｇ（緑）、Ｂ（青）の各データごとに行われる。
【００３９】
所定の第１条件は、例えば、Ｒ（赤）、Ｇ（緑）、Ｂ（青）の各々の階調値の少なくとも一つがサンプリング画像データに含まれる各画素の間で同じ値にならない、Ｒ（赤）、Ｇ（緑）、Ｂ（青）の各々の階調値の少なくとも一つについて最大値と最小値との差が所定の基準値以上である、などに例示される。すなわち、この所定の第１条件に基づいて、画像データが、映像信号（図２における１４４）であるか、一定輝度を有する信号（図２における１４６）であるかを判断する。
【００４０】
判定部６−ｉについては、以下のような構成を用いることができる。
図３Ｂは、判定部の一例を示すブロック図である。判定部６−ｉは、比較部７−ｉと選択部９−ｉとを備える。
【００４１】
比較部７−ｉは、Ｍ×Ｎ画素のサンプリング画像データのうちから、互いに異なるｍｉ×ｎｉ画素（ｍｉおよびｎｉはｍｉ≦Ｍ、ｎｉ≦Ｎの自然数、以下「比較サンプリング画素」という）ごとに、そのサンプリング画像データを更にサンプリングする。得られるサンプリング画像データとしての比較サンプリング画像データ（比較サンプリング画像信号）について、図５Ａ及び図５Ｂを用いて説明する。
【００４２】
図５Ａは、Ｍ×Ｎ画素と、ｍｉ×ｎｉ画素とを示す図である。左側が、Ｍ×Ｎ画素１２である。ここでは、Ｍ＝Ｎ＝５の場合を示している。右側が、ｍｉ×ｎｉ画素１４である。ここでは、ｍｉ＝ｎｉ＝３の場合を示している。いずれも、一マスが、一画素に対応する。Ｍ×Ｎ画素のサンプリング画像データとは、Ｍ×Ｎ画素１２の画像データである。ｍｉ×ｎｉ画素の比較サンプリング画像データとは、ｍｉ×ｎｉ画素１４の画像データである。
【００４３】
比較サンプリング画像データについて更に説明する。
図５Ｂは、Ｍ×Ｎ画素１２からｍｉ×ｎｉ画素１４をサンプリングする方法を示す図である。すなわち、Ｍ×Ｎ画素のサンプリング画像データのうちから、ｍｉ×ｎｉ画素の比較サンプリング画像データをサンプリングする方法の一例を示している。一番左の図において、５×５画素の左上隅から３×３画素をサンプリングする（すなわち、５×５画素のサンプリング画像データのうちから、３×３画素の比較サンプリング画像データをサンプリングする。以下同様）。続いて、５×５画素の左上隅から一列右にずれた３×３画素をサンプリングする。このように、一列ずつずらしながらサンプリングを行う。３×３画素が右上隅に達したら、一行下にずらして左隅から再びサンプリングを行う。以上のようにサンプリングを連続的に行い、３×３画素が右下隅に達したらサンプリングが終了する。この場合では、９通りのサンプリングが行われ、９種類の３×３画素分の比較サンプリング画像データが取得される。なお、順番は上記の例に限定されない。
【００４４】
図３Ｂを参照して、比較部７−ｉは、得られた複数（上記例では９個）の比較サンプリング画像データ（比較サンプリング画像信号）に含まれる各画素の階調値について、所定の演算を行う。ただし、この演算は、各画像データに含まれるＲ（赤）、Ｇ（緑）、Ｂ（青）の各データごとに行われる。
続いて、演算結果と所定の第２条件とを比較する。そして、比較結果を選択部９−ｉへ出力する。
【００４５】
ここで、所定の演算は、例えば、複数の比較サンプリング画像データの各々について各画素のＲ（赤）、Ｇ（緑）、Ｂ（青）の各々の階調値の合計を計算し、Ｒ（赤）、Ｇ（緑）、Ｂ（青）の各々についてその合計の最大値と最小値との差を取る、その合計の最大値と最小値との比を取る、などに例示される。所定の第２条件は、Ｒ（赤）、Ｇ（緑）、Ｂ（青）の各々の演算結果の少なくとも一つが所定の基準値以上の場合、所定の基準範囲に入らない場合、などに例示される。すなわち、この所定の第２条件に基づいて、画像データが、映像信号（図２における１４４）であるか、一定輝度を有する信号（図２における１４６）であるかを判断する。
【００４６】
選択部９−ｉは、比較結果において、演算結果が所定の第２条件を満足している場合、対応する画像処理部２−ｉへ選択信号を出力する。演算結果が所定の第２条件を満足していない場合、選択信号を出力しない。
【００４７】
（ｍｉ×ｎｉ）画素の組は、各判定部６−ｉ（対応する各画像処理）ごとに異なる値であっても良い。それにより、画像処理の種類に応じて、異なる条件が必要な場合に対応することができる。
【００４８】
上記構成により、入力された画像データに基づいて、その画像データを画像処理する画像処理部を選択することができる。
【００４９】
次に、本発明の表示装置の第１の実施の形態の構成について説明する。
図４は、本発明の表示装置（プラズマ表示装置）の第１の実施の形態の構成を説明する図である。プラズマ表示装置１は、アナログインターフェース２０（以下、「アナログＩ／Ｆ」とも記す）と、プラズマディスプレイモジュール３０（以下、「ＰＤＰモジュール３０」とも記す）とを備える。
【００５０】
アナログＩ／Ｆ２０は、受信したアナログビデオ信号及びアナログＲＧＢ信号を、ディジタルＲＧＢ映像信号に変換する。そして、そのディジタルＲＧＢ映像信号を逆ガンマ変換後に、図３において説明した画像処理回路１０で擬似多階調化処理を施した後、ＰＤＰモジュール３０に出力する。アナログＩ／Ｆ２０は、ビデオクロマデコーダ部２１、Ａ／Ｄ変換部２２、同期信号制御部２３、画像フォーマット変換部２４、逆ガンマ変換部２５、中間階調処理回路１０、システムコントロール部２６及びＰＬＥ制御部２７を備える。
【００５１】
ビデオクロマデコーダ部２１は、アナログビデオ信号を、ＲＧＢまたはＹＵＶ等の映像信号に変換し、アナログ映像信号とする。そして、それをＡ／Ｄ変換部２２及び同期信号制御部２３へ出力する。
【００５２】
Ａ／Ｄ変換部２２は、アナログ映像信号が入力された場合、アナログ映像信号をディジタル映像信号に変換し、画像フォーマット変換部２４へ出力する。
アナログＲＧＢ信号が入力された場合、アナログＲＧＢ信号をディジタルＲＧＢ信号に変換し、逆ガンマ変換部２５へ出力する。
【００５３】
画像フォーマット変換部２４は、入力されたディジタル映像信号の画素構成とＰＤＰモジュール３０の画素構成とが異なる場合に、ディジタル映像信号の画素構成をＰＤＰモジュール３０の画素構成へ変換する。
【００５４】
逆ガンマ（γ）変換部２５は、予めガンマ変換されているアナログＲＧＢ信号またはアナログビデオ信号を、逆ガンマ変換して線形特性を有するように復元する。ここでは、ディジタル映像信号が入力された場合、ディジタル映像信号を逆ガンマ変換し、ガンマ補正済みのディジタルＲＧＢ信号として中間階調処理回路１０へ出力する。
ディジタルＲＧＢ信号が入力された場合、ディジタルＲＧＢ信号を逆ガンマ変換し、ガンマ補正済みのディジタルＲＧＢ信号として中間階調処理回路１０へ出力する。
【００５５】
画像処理回路１０は、図３Ａ及び図３Ｂにおいて説明した回路である。逆ガンマ変換部２５からのガンマ補正済みのディジタルＲＧＢ信号の入力に基づいて、必要に応じて複数の画像処理部２−ｉ（ｉ＝１〜Ｒ）のいくつかにおいて画像処理を施されたディジタルＲＧＢ信号としてのディジタルＲＧＢ映像信号を生成する。そして、ディジタルＲＧＢ映像信号をＰＤＰモジュール３０へ出力する。ただし、ディジタルＲＧＢ信号は、図３Ａ及び図３Ｂにおける画像データである。ディジタルＲＧＢ映像信号は、サンプリング画像データである。
【００５６】
同期信号制御部２３は、ＰＬＬ回路を含む。アナログビデオ信号またはアナログＲＧＢ信号と同時に供給される水平同期信号を取り出す。そして、水平同期信号を基準として、サンプリングクロック及びデータクロック信号を生成する。その後、アナログビデオ信号またはアナログＲＧＢ信号と同時に供給される水平同期信号及び垂直同期信号と共に、データクロック信号をＰＤＰモジュール３０へ出力する。
【００５７】
ＰＬＥ制御部２７は、ＲＧＢ映像信号の平均輝度レベルを受信する。そして、その平均輝度レベルが第１基準値以下である場合、表示輝度を上昇させるＰＬＥ制御信号を出力する。逆に、平均輝度レベルが第２基準値以上（第１基準値＜第２基準値）である場合、表示輝度を低下させるＰＬＥ制御信号を出力する。
【００５８】
システムコントロール部２６は、各種制御信号をＰＤＰモジュール３０へ出力する。
【００５９】
ＰＤＰモジュール３０は、アナログＩ／Ｆ２０から受信したディジタルＲＧＢ映像信号を、ＳＦ分割発光表示を行う。ＰＤＰモジュール３０は、ディジタル信号処理・制御部３１とＰＤＰパネル部３２とモジュール内電源部３３とを備える。
【００６０】
ディジタル信号処理・制御部３１は、入力インターフェース信号処理部（以下、「入力Ｉ／Ｆ信号処理部」とも記す）３４とフレームメモリ３５とメモリ制御部３６とドライバ制御部３７とを備える。
【００６１】
入力Ｉ／Ｆ信号処理部３４は、入力信号平均輝度レベル演算回路（図示されず）、輝度レベル制御回路（図示されず）を含む。入力信号平均輝度レベル演算回路は、ディジタルＲＧＢ映像信号の平均輝度レベルを計算する。そして、その平均輝度レベルを示す例えば５ビットの輝度データをＰＬＥ制御部２７に出力する。輝度レベル制御回路は、その輝度データに基づくＰＬＥ制御部２７からのＰＬＥ制御データに基づいて、メモリ制御部３６やドライバ制御部３７を制御する信号を出力する。
【００６２】
フレームメモリ３５は、入力インターフェース信号処理部３４に入力されたディジタルＲＧＢ映像信号を映像データとして一旦格納する。そして、メモリ制御部３６からの制御信号により、ＰＤＰドライバ（ＰＤＰパネル部３２の各ドライバ）が必要とする構成の映像データを、所定のタイミングでＰＤＰパネル部３２へ出力する。
【００６３】
メモリ制御部３６は、フレームメモリ３５を制御する制御信号をフレームメモリ３５へ出力する。
【００６４】
ドライバ制御部３７は、各ドライバを制御するドライバ制御信号をＰＤＰパネル部３２へ出力する。
【００６５】
ＰＤＰパネル部３２は、プラズマディスプレイパネル（ＰＤＰ）５０、走査ドライバ３８、データドライバ３９、高圧パルス部４０、電力回収部４１とを備える。
【００６６】
走査ドライバ３８は、走査電極を制御、駆動する。
データドライバ３９は、データ電極を制御、駆動する。
高圧パルス部４０は、ＰＤＰ５０及び走査ドライバ３８にパルス電圧を供給する。
ＰＤＰ５０は、行列状に配列された１３６５個×７６８個の画素を有する。走査ドライバ３８による走査電極の制御とデータドライバ３９によるデータ電極の制御に基づいて、複数の画素のうちの所定の画素を点灯又は非点灯することにより、所望の画像を表示する。
電力回収部４１は、高圧パルス部４０からの余剰電力を回収する。
【００６７】
モジュール内電源部３３は、ディジタル信号処理・制御部３１及びＰＤＰパネル部３２に、ロジック用電力を供給している。それと共に、表示用電源から直流電力を供給され、この直流電力の電圧を所定の電圧に変換した後、ＰＤＰパネル部３２に供給している。
【００６８】
次に、本発明の画像信号処理回路及び表示装置の第１の実施の形態の動作について説明する。
図６は、本発明の画像信号処理方法の第１の実施の形態（画像信号処理回路の動作）を示すフロー図である。
【００６９】
アナログＩ／Ｆ２０において、１フレームがＰ×Ｑ画素である画像データ（ディジタルＲＧＢ信号）は、逆ガンマ変換部２５から画像処理回路１０へ入力される。
（１）ステップＳ０１
画像データサンプリング部４において、Ｍ×Ｎ画素のサンプリング画素分のサンプリング画像データが、画像データからサンプリングされる。サンプリング画像データは、各判定部６−ｉ（ｉ＝１〜Ｒ）及び画像処理部２−１へ出力される。
（２）ステップＳ０２
各判定部６−ｉの比較部７−ｉにおいて、ｍｉ×ｎｉ画素分の複数の比較サンプリング画像データが、Ｍ×Ｎ画素のサンプリング画像データからサンプリングされる。
（３）ステップＳ０３
各判定部６−ｉの比較部７−ｉにより、各比較サンプリング画像データは、含まれる各画素の階調値に所定の演算を施される。演算結果は、所定の第２条件と比較される。その比較結果は、各判定部６−ｉの選択部９−ｉへ出力される。ここで、所定の演算は、複数の比較サンプリング画像データの各々について各画素のＲ（赤）、Ｇ（緑）、Ｂ（青）の各々の階調値の合計を計算したとき、Ｒ（赤）、Ｇ（緑）、Ｂ（青）の各々についてその合計の最大値と最小値との差Δ１を求める。演算結果は、Ｒ（赤）、Ｇ（緑）、Ｂ（青）の各々の差Δ１（Δ１（Ｒ）、Δ１（Ｇ）、Δ１（Ｂ））である。所定の第２条件は、Ｒ（赤）、Ｇ（緑）、Ｂ（青）の各々の演算結果の少なくとも一つが所定の基準値以上となることである。
（４）ステップＳ０４
各判定部６−ｉにおいて、比較結果が所定の第２条件を満たす場合、対応する画像処理部２−ｉへ選択信号が出力される。この選択信号により、対応する画像処理部２−ｉが選択される。この場合、所定の基準値を適切に設定すれば、差Δ１＝０（Δ１（Ｒ）、Δ１（Ｇ）、Δ１（Ｂ）の全てが０）となる一定輝度を有する画像データ（図２における１４６）については選択信号を出力せず、差Δ１（Δ１（Ｒ）、Δ１（Ｇ）、Δ１（Ｂ）の少なくとも一つが０でない）＞０となる画像データ（図２における１４４）については選択信号を出力させることができる。
（５）ステップＳ０５
サンプリング画像データは、複数の画像処理部２−ｉ（ｉ＝１〜Ｒ）のうち、選択信号を受信したものにより、画像処理を施される。そして、最終的に、画像処理工程を通過済みサンプリング画像データ（ディジタルＲＧＢ映像信号）が、画像処理部２−ＲからＰＤＰモジュール３０へ出力される。
（６）ステップＳ０６
サンプリング画像データ（ディジタルＲＧＢ映像信号）は、ＰＤＰモジュール３０におけるＰＤＰパネル５０で表示される。
【００７０】
上記のプロセスにより、映像信号（図２における１４４）と一定輝度の信号（図２における１４６）とを含む画像信号（図２における１４２）に対して、映像信号と一定輝度の信号とに対応して画像処理制御部８が画像処理部を適切に選択するので、中間階調処理回路を用いても、その画像信号中の２種類の信号をそれぞれ正確に表示することが可能となる。そして、上記画像信号の表示画面上の画質を改善できる。
【００７１】
なお、上記ステップＳ０２を省略し、ステップＳ０３、ステップＳ０４を以下のようにすることも可能である。この場合も、上記の場合と同様の効果を得ることができる。
（３’）ステップＳ０３’
各判定部６−ｉにより、サンプリング画像データは、含まれる各画素の階調値と所定の第１条件とを比較される。ただし、この比較は、各画像データに含まれるＲ（赤）、Ｇ（緑）、Ｂ（青）の各データごとに行われる。所定の条件は、Ｒ（赤）、Ｇ（緑）、Ｂ（青）の各々の階調値の少なくとも一つがサンプリング画像データに含まれる各画素の間で同じ値にならないことである。
（４’）ステップＳ０４’
各判定部６−ｉにおいて、比較結果が所定の第１条件を満たす場合、対応する画像処理部２−ｉへ選択信号が出力される。この選択信号により、対応する画像処理部２−ｉが選択される。この場合、各画素の階調値が同じ値となる一定輝度を有する画像データ（図２における１４６）については選択信号を出力せず、各画素の階調値が同じ値でない画像データ（図２における１４４）については選択信号を出力させることができる。
【００７２】
図７は、本発明の画像信号処理回路の第１の実施の形態の構成の応用例を示すブロック図である。この図では、複数の画像処理回路２ａ−ｉ（ｉ＝１〜ｋ）において、画像処理回路２ａ−１についてはディザ処理を行うディザ処理部２ａ−１とし、画像処理回路２ａ−ｋについては誤差拡散処理を行う誤差拡散処理部２ａ−ｋとしている。その他の構成及び動作は、上記のとおりである。
【００７３】
図８は、本発明の画像信号処理回路の第１の実施の形態の構成の他の応用例を示すブロック図である。この図では、画像処理回路２ｂは一つであり、誤差拡散処理を行う誤差拡散処理部２ｂを用いている。その他の構成及び動作は、上記のとおりである。
【００７４】
図９は、本発明の画像信号処理回路の第１の実施の形態の構成の更に他の応用例を示すブロック図である。この図では、画像処理回路２ｃは一つであり、ディザ処理を行うディザ処理部２ｃを用いている。その他の構成及び動作は、上記のとおりである。
【００７５】
図１０は、本発明の画像信号処理回路の第１の実施の形態の構成の別の応用例を示すブロック図である。この図では、複数の画像処理回路２ｄ−ｉ（ｉ＝１〜２）において、画像処理回路２ｄ−１については誤差拡散処理を行う誤差拡散処理部２ｄ−１とし、画像処理回路２ｄ−２についてはディザ処理を行うディザ処理部２ｄ−２としている。そして、判定部６ｄは、誤差拡散処理部２ｄ−１とディザ処理部２ｄ−２とに対して共通に用いられるようにしている。その他の構成及び動作は、上記のとおりである。
【００７６】
この実施の形態では、一定輝度の信号に関しては誤差拡散処理を行わないため、特有の階調パターンを生じることがない。さらに本実施の形態では、一定輝度の信号に関してはディザ処理を行わないため、自然画やＴＶ信号、映画のような画像信号部分と一定輝度の信号領域の境界点が不明確になってしまうことがない。ディザ処理を行わない輝度信号を外部より規定することが出来るため、自然画やＴＶ信号、映画のような画像信号部分と一定輝度の信号領域の境界点を明確に規定することが出来る。
【００７７】
（第２の実施の形態）
次に、本発明の画像信号処理回路及び表示装置の第２の実施の形態の構成について説明する。
図１１は、本発明の画像信号処理回路の第２の実施の形態の構成を示すブロック図である。画像処理回路１０ｅは、画像処理制御部８ｅと、複数の画像処理部２ｅ−ｊ（ｊ＝１〜Ｌ、Ｌは自然数で画像処理部の数に対応、以下同じ）とを具備する。
【００７８】
本実施の形態における画像処理制御部８ｅ、複数の画像処理部２ｅ−ｊ（ｊ＝１〜Ｌ、Ｌは自然数で画像処理部の数に対応、以下同じ）は、判定部６ｅ−ｊ（ｊ＝１〜Ｌ）以外は、第１の実施の形態における画像処理制御部８、複数の画像処理部２−ｉ（ｊ＝１〜Ｒ）と同様である。
【００７９】
複数の判定部６ｅ−ｊ（ｊ＝１〜Ｌ）は、その各々が、複数の画像処理部２ｅ−ｊ（ｊ＝１〜Ｌ）のうちの一つと対応している。すなわち、判定部６ｅ−ｊは、画像処理部２ｅ−ｊへ対応している。そして、それぞれの判定部６ｅ−ｊは、サンプリング画像データに含まれる各画素の階調値と所定の第１条件とを比較する。その結果、所定の条件が満足される場合、対応する画像処理部２ｅ−ｊへ選択信号を出力する（画像処理部２ｅ−ｊを選択する）。ただし、この比較は、各画像データに含まれるＲ（赤）、Ｇ（緑）、Ｂ（青）の各データごとに行われる。所定の第１条件は、第１の実施の形態の場合と同様である。
【００８０】
判定部６ｅ−ｊは、図３Ｂのような比較部７ｅ−ｊと選択部９ｅ−ｊとを具備する構成でも良い。
比較部７−ｊは、Ｍ×Ｎ画素のサンプリング画像データに含まれる各画素の階調値について、別途入力される一定輝度指定データと比較する。すなわち、各画素の階調値に含まれる輝度成分と、一定輝度指定データの示す輝度とを比較する。そして、各画素の階調値の輝度成分が所定の第３条件を満足するかを判定する。その後、各画素ごとの比較結果を選択部９−ｊへ出力する。ただし、一定輝度指定データは、Ｒ（赤）、Ｇ（緑）、Ｂ（青）用の各輝度指定データを含む。比較は、画像データに含まれるＲ（赤）、Ｇ（緑）、Ｂ（青）の輝度成分データの各々と、一定輝度指定データに含まれるＲ（赤）、Ｇ（緑）、Ｂ（青）の輝度指定データうちの対応するデータとについて行われる。
【００８１】
所定の第３条件は、各画素におけるＲ（赤）、Ｇ（緑）、Ｂ（青）の各々の輝度成分データと、対応する一定輝度指定データのＲ（赤）、Ｇ（緑）、Ｂ（青）の輝度指定データとの差（絶対値）が所定の基準値以上の場合、所定の基準範囲に入らない場合、などに例示される。
【００８２】
選択部９−ｊは、比較結果において、各画素の階調値の輝度成分が第３条件を満足している場合、対応する画像処理部２−ｊへ選択信号を出力する。各画素の階調値の輝度成分が第３条件を満足していない場合、選択信号を出力しない。
【００８３】
本発明の表示装置（プラズマ表示装置）の第２の実施の形態の構成については、画像処理装置１０ｅを用いる以外は、第１の実施の形態と同様である。
【００８４】
次に、本発明の画像信号処理回路及び表示装置の第２の実施の形態の動作について説明する。
図１２は、本発明の画像信号処理方法の第２の実施の形態（画像信号処理回路の動作）を示すフロー図である。
【００８５】
アナログＩ／Ｆ２０において、１フレームがＰ×Ｑ画素である画像データ（ディジタルＲＧＢ信号）は、逆ガンマ変換部２５から画像処理回路１０ｅへ入力される。画像データ（ディジタルＲＧＢ信号）には、一定輝度指定データが含まれる。
（１）ステップＳ１１
画像データサンプリング部４ｅにおいて、Ｍ×Ｎ画素のサンプリング画素分のサンプリング画像データが、画像データからサンプリングされる。サンプリング画像データは、各判定部６ｅ−ｊ（ｊ＝１〜Ｌ）及び画像処理部２ｅ−１へ出力される。
（２）ステップＳ１２
各判定部６ｅ−ｊにおいて、Ｍ×Ｎ画素のサンプリング画像データに含まれる各画素の階調値が、別途入力される一定輝度指定データと比較される。すなわち、各画素の階調値に含まれる輝度成分と、一定輝度指定データの示す輝度とが比較される。比較は、画像データに含まれるＲ（赤）、Ｇ（緑）、Ｂ（青）の輝度成分データの各々と、一定輝度指定データに含まれるＲ（赤）、Ｇ（緑）、Ｂ（青）の輝度指定データうちの対応するデータとについて行われる。
そのとき、各画素の階調値の輝度成分が所定の第３条件を満足するかが判定される。所定の第３条件は、各画素におけるＲ（赤）、Ｇ（緑）、Ｂ（青）の各々の輝度成分データと、対応する一定輝度指定データのＲ（赤）、Ｇ（緑）、Ｂ（青）の輝度指定データとの差Δ２（絶対値：Δ２（Ｒ）、Δ２（Ｇ）、Δ２（Ｂ）の少なくとも一つ）が所定の基準値以上の場合である。
（３）ステップＳ１３
各判定部６ｅ−ｊにおいて、比較結果が所定の第３条件を満たす場合、対応する画像処理部２ｅ−ｊへ選択信号が出力される。この選択信号により、対応する画像処理部２ｅ−ｊが選択される。この場合、所定の基準値を適切に設定すれば、差Δ２（絶対値）＝０となる一定輝度を有する画像データ（図２における１４６）については選択信号を出力せず、差Δ２（絶対値）＞０となる画像データ（図２における１４４）については選択信号を出力させることができる。
（４）ステップＳ１４
サンプリング画像データは、複数の画像処理部２ｅ−ｊ（ｊ＝１〜Ｌ）のうち、選択信号を受信したものにより、画像処理を施される。そして、最終的に、画像処理工程を通過済みサンプリング画像データ（ディジタルＲＧＢ映像信号）が、画像処理部２ｅ−ＬからＰＤＰモジュール３０へ出力される。
（５）ステップＳ１５
サンプリング画像データ（ディジタルＲＧＢ映像信号）は、ＰＤＰモジュール３０におけるＰＤＰパネル５０で表示される。
【００８６】
上記のプロセスにより、映像信号（図２における１４４）と一定輝度の信号（図２における１４６）とを含む画像信号（図２における１４２）に対して、映像信号と一定輝度の信号とに対応して画像処理制御部８が画像処理部を適切に選択するので、中間階調処理回路を用いても、その画像信号中の２種類の信号をそれぞれ正確に表示することが可能となる。そして、上記画像信号の表示画面上の画質を改善できる。
【００８７】
図１３は、本発明の画像信号処理回路の第２の実施の形態の構成の応用例を示すブロック図である。この図では、画像処理回路２ｆは一つであり、誤差拡散処理を行う誤差拡散処理部２ｆを用いている。その他の構成及び動作は、上記のとおりである。
【００８８】
図１４は、本発明の画像信号処理回路の第２の実施の形態の構成の他の応用例を示すブロック図である。この図では、画像処理回路２ｇは一つであり、ディザ処理を行うディザ処理部２ｇ用いている。その他の構成及び動作は、上記のとおりである。
【００８９】
この実施の形態では、一定輝度の信号に関しては誤差拡散処理を行わないため、特有の階調パターンを生じることがない。さらに本実施の形態では、一定輝度の信号に関してはディザ処理を行わないため、自然画やＴＶ信号、映画のような画像信号部分と一定輝度の信号領域の境界点が不明確になってしまうことがない。ディザ処理を行わない輝度信号を外部より規定することが出来るため、自然画やＴＶ信号、映画のような画像信号部分と一定輝度の信号領域の境界点を明確に規定することが出来る。
【図面の簡単な説明】
【００９０】
【図１】図１は、従来の画像処理回路を示すブロック図である。
【図２】図２は、画面左右端又は画面上下端に表示される一定の輝度を持った信号と、映像信号とを含む画像信号の表示状態を示す。
【図３Ａ】図３Ａは、本発明の画像信号処理回路の第１の実施の形態の構成を示すブロック図である。
【図３Ｂ】図３Ｂは、判定部の詳細を示すブロック図である。
【図４】図４は、本発明の表示装置の実施の形態の構成を説明する図である。
【図５Ａ】図５Ａは、Ｍ×Ｎ画素とｍｉ×ｎｉ画素とを示す図である。
【図５Ｂ】図５Ｂは、Ｍ×Ｎ画素からｍｉ×ｎｉ画素をサンプリングする方法を示す図である。
【図６】図６は、本発明の画像信号処理方法の実施の形態を示すフロー図である。
【図７】図７は、本発明の画像信号処理回路の第１の実施の形態の構成の応用例を示すブロック図である。
【図８】図８は、本発明の画像信号処理回路の第１の実施の形態の構成の他の応用例を示すブロック図である。
【図９】図９は、本発明の画像信号処理回路の第１の実施の形態の構成の更に他の応用例を示すブロック図である。
【図１０】図１０は、本発明の画像信号処理回路の第１の実施の形態の構成の別の応用例を示すブロック図である。
【図１１】図１１は、本発明の画像信号処理回路の第２の実施の形態の構成を示すブロック図である。
【図１２】図１２は、本発明の画像信号処理方法の第２の実施の形態を示すフロー図である。
【図１３】図１３は、本発明の画像信号処理回路の第２の実施の形態の構成の応用例を示すブロック図である。
【図１４】図１４は、本発明の画像信号処理回路の第２の実施の形態の構成の他の応用例を示すブロック図である。
【符号の説明】
【００９１】
１    プラズマ表示装置
２−ｉ、２ａ−ｉ、２ｂ−ｉ、２ｃ−ｉ、２ｄ−ｉ、１０２−ｉ（ｉ＝１〜Ｒ）、２ｅ−ｊ、２ｆ−ｊ、２ｇ−ｊ（ｊ＝１〜Ｌ）    画像処理部
４    画像データサンプリング部
６−ｉ、６ａ−ｉ、６ｂ−ｉ、６ｃ−ｉ、６ｄ−ｉ（ｉ＝１〜Ｒ）、６ｅ−ｊ、６ｆ−ｊ、６ｇ−ｊ（ｊ＝１〜Ｌ）    判定部
７−ｉ、７ａ−ｉ、７ｂ−ｉ、７ｃ−ｉ、７ｄ−ｉ（ｉ＝１〜Ｒ）、７ｅ−ｊ、７ｆ−ｊ、７ｇ−ｊ（ｊ＝１〜Ｌ）    比較部
８、画像処理制御部
９−ｉ、９ａ−ｉ、９ｂ−ｉ、９ｃ−ｉ、９ｄ−ｉ（ｉ＝１〜Ｒ）、９ｅ−ｊ、９ｆ−ｊ、９ｇ−ｊ（ｊ＝１〜Ｌ）    画像処理部
１０、１０ａ，１０ｂ，１０ｃ，１０ｄ，１０ｅ，１０ｆ，１０ｇ，１１０    画像処理回路
１２    Ｍ×Ｎ画素
１４    ｍｉ×ｎｉ画素
２０    アナログインターフェース（アナログＩ／Ｆ）
２１    ビデオクロマデコーダ部
２２    Ａ／Ｄ変換部
２３    同期信号制御部
２４    画像フォーマット変換部
２５    逆ガンマ（γ）変換部
２６    システムコントロール部
２７    ＰＬＥ制御部
３０、１３０    プラズマディスプレイモジュール（ＰＤＰモジュール）
３１    ディジタル信号処理・制御部
３２    ＰＤＰパネル部
３３    モジュール内電源部
３４    入力インターフェース信号処理部（入力Ｉ／Ｆ信号処理部）
３５    フレームメモリ
３６    メモリ制御部
３７    ドライバ制御部
３８    走査ドライバ
３９    データドライバ
４０    高圧パルス部
４１    電力回収部
５０    プラズマディスプレイパネル（ＰＤＰ）
１４２    画像信号
１４４    映像信号
１４６    信号
【図１】
2005148323.tif 000003
【図２】
2005148323.tif 000004
【図３Ａ】
2005148323.tif 000005
【図３Ｂ】
2005148323.tif 000006
【図４】
2005148323.tif 000007
【図５Ａ】
2005148323.tif 000008
【図５Ｂ】
2005148323.tif 000009
【図６】
2005148323.tif 000010
【図７】
2005148323.tif 000011
【図８】
2005148323.tif 000012
【図９】
2005148323.tif 000013
【図１０】
2005148323.tif 000014
【図１１】
2005148323.tif 000015
【図１２】
2005148323.tif 000016
【図１３】
2005148323.tif 000017
【図１４】
2005148323.tif 000018